(57)【要約】【課題】  スクリーン上での画像のひずみを無くすとともに装置構成を簡略化し、さらに、小型化を可能にしたプロジェクタを提供する。【解決手段】  光源１０２と、光源１０２からの光を変調する光変調素子１００と、光変調素子１００により変調された光を投射する投射レンズと、光変調素子１００に対し所定の位置に配置されたスクリーン２００と、を備えたプロジェクタ１である。光変調素子１００には複数の光出射部６０が設けられ、スクリーン２００上には各光出射部６０にそれぞれ対応する複数の画素部２１０が設けられ、各光出射部６０の大きさは、対応する各画素部２１０がそれぞれほぼ同じとなるように形成されている。【選択図】        図６
2006220822.tif 000002
【特許請求の範囲】
【請求項１】
光源と、該光源からの光を変調する光変調素子と、該光変調素子により変調された光を投射する投射レンズと、前記光変調素子に対し所定の位置に配置されたスクリーンと、を備えたプロジェクタにおいて、
前記光変調素子には複数の光出射部が設けられ、前記スクリーン上には前記各光出射部にそれぞれ対応する複数の画素部が設けられ、
前記各光出射部の大きさは、対応する各画素部がそれぞれほぼ同じとなるように形成されてなることを特徴とするプロジェクタ。
【請求項２】
前記各光出射部には、該各光出射部からそれぞれ出射される光の焦点距離を、対応する各画素部までの光路長にほぼ一致させるマイクロレンズが設けられていることを特徴とする請求項１に記載のプロジェクタ。
【請求項３】
前記光源と前記光変調素子と前記投射レンズとを筐体内に備えてなり、該筐体の前面には前記スクリーンが設けられてなることを特徴とする請求項１又は２に記載のプロジェクタ。
【発明の詳細な説明】
【技術分野】
【０００１】
本発明は、プロジェクタに関する。
【背景技術】
【０００２】
プロジェクタは、光源からの光を光変調素子によって変調し、投射レンズによってスクリーン上に画像を拡大表示するものである。
また、近年では、光源と光変調素子とスクリーンとを筐体内に設けて、スクリーンの背面側から映像を投射することで、大画面の画像を表示させるプロジェクタ（リアプロジェクタ）もある。
ところで、プロジェクタでは、スクリーンに対して均一に光を投射することで、スクリーン上での画像のひずみを防止している。
【０００３】
特に、前述したリアプロジェクタは、構造上スクリーンに対して上方、もしくは下方から画像を投射するため、例えば各光路の調節を行わずに直接スクリーン上に投射した場合、スクリーン上の画像を構成する各画素（画素部）毎の光路長に違いが生じてしまう。このとき、例えば光路長が長いとスクリーン上で画素が拡がってしまい大きくなり、また、光路長が短いとスクリーン上で画素が小さくなってしまう。したがって、スクリーン上の画素の大きさにバラツキが生じることで、画像がひずんでしまう。
そこで、前記光変調素子からの光を鏡等の光学系によって反射させることで、光路長を調節し、スクリーン上の画像のひずみを防止した技術がある（例えば、特許文献１参照）。
【特許文献１】特開２００２−１０７６６３号公報
【発明の開示】
【発明が解決しようとする課題】
【０００４】
しかしながら、前述したようにリアプロジェクタ（プロジェクタ）は、光学系を新たに設ける必要があるため、プロジェクタの装置構成が複雑になっていた。
また、特にリアプロジェクタは屋内での用途が高く、設置場所を取らないことが望まれており、このことから小型化が望まれている。
しかしながら、光学系を備えたリアプロジェクタは、前述したように光路長を調節することで画像のひずみを無くことはできるものの、前記光学系を設けるためのスペースが必要となり、リアプロジェクタの筐体の奥行きが広がってしまう。したがって、十分な小型化（薄型化）を図ることができなかった。
【０００５】
本発明は前記事情に鑑みてなされたもので、その目的とするところは、スクリーン上での画像のひずみを無くすとともに装置構成を簡略化し、さらに、小型化を可能にしたプロジェクタを提供することにある。
【課題を解決するための手段】
【０００６】
本発明のプロジェクタは、光源と、該光源からの光を変調する光変調素子と、該光変調素子により変調された光を投射する投射レンズと、前記光変調素子に対し所定の位置に配置されたスクリーンと、を備えたプロジェクタにおいて、前記光変調素子には複数の光出射部が設けられ、前記スクリーン上には前記各光出射部にそれぞれ対応する複数の画素部が設けられ、前記各光出射部の大きさは、対応する各画素部がそれぞれほぼ同じとなるように形成されてなることを特徴とする。
【０００７】
本発明のプロジェクタによれば、各光出射部に対応するスクリーン上の各画素部までの光路長が異なっていて、例えば光路長が長い場合には光出射部の大きさを小さく、光路長が短い場合には光出射部の大きさを大きくして、対応する各画素部がそれぞれほぼ同じとなるようにしている。
すなわち、各光出射部からの光はスクリーン上で、ほぼ同じ大きさの画素部となる。ここで、全ての画素部をほぼ同じ大きさにすることで、各画素部から構成されるスクリーン上の画像にひずみが生じることを防止することができる。
また、従来のように鏡等の光学系を用いることなく、前記光出射部の大きさを調節することでスクリーン上の画像のひずみを防止しているので、プロジェクタの装置構成を簡略化することができる。
【０００８】
前記プロジェクタにおいて、前記各光出射部には、該各光出射部からそれぞれ出射される光の焦点距離を、対応する各画素部までの光路長にほぼ一致させるマイクロレンズが設けられていることが好ましい。
【０００９】
ここで、各光出射部からスクリーン上の対応する各画素部までの光路長が異なっていると、各画素部間で焦点距離のバラツキから画素部にボケが生じて、スクリーン上の画像に多少のひずみが生じてしまう。そこで、本発明を採用することで、光出射部からの光は、対応する画素部上で焦点を結ぶようになる。
すなわち、各光出射部からの光が、対応するすべての画素部上で焦点を結ぶことで、スクリーン上のすべての画素部には焦点距離（ピント）の合った像が投射される。
したがって、スクリーン上の各画素部から構成される画像は、全ての画素部での焦点距離（ピント）があっているので、スクリーン上に投影される画像をより鮮明にすることができる。
【００１０】
前記プロジェクタにおいて、前記光源と前記光変調素子と前記投射レンズとを筐体内に備えてなり、該筐体の前面には前記スクリーンが設けられてなることが好ましい。
【００１１】
このようにすれば、例えばスクリーンの背面側から画像を投射することで、大画面の画像を表示させるリアプロジェクタ装置として用いることができる。このとき、リアプロジェクタは構造上スクリーンに対して下方、及び上方から画像を投射するため、従来のように鏡等の光学系を用いないと、スクリーン上の画像にひずみが生じてしまう。そこで、前述したように本発明では、前記光出射部の大きさを調節することで前記画素部における光の投射面積をほぼ同じにしているので、前記の光学系を用いることなくスクリーン上の画像のひずみを防止できる。
よって、前記筐体内に前記の光学系を設けるスペースが不要となり、筐体の厚みを薄くでき、結果としてリアプロジェクタ装置の小型化、薄型化を図ることができる。
【発明を実施するための最良の形態】
【００１２】
以下、本発明の実施形態について、図面を参照しつつ説明する。なお、以下で参照する各図面においては、図面を見易くするために、各構成要素の寸法等を適宜変更して表示している。
図１（ａ）は、本発明のプロジェクタをリアプロジェクタ装置として用いた実施形態を模式的に示すもので、図中符号１はリアプロジェクタ装置である。
図１（ａ）に示すように、リアプロジェクタ装置１は、後述する光源と光変調素子と投射レンズとからなる投射光学系１５０と、スクリーン２００と、前記投射光学系１５０と前記スクリーン２００とを所定の位置に保持する筐体１０とから構成されている。そして、具体的には、前記筐体１０内に投射光学系１５０が設けられ、前記筐体１０の全面には前記スクリーン２００が設けられている。
【００１３】
図１（ｂ）は、前記リアプロジェクタ装置１の側断面を模式的に示した図であって、図１（ｂ）に示すように、リアプロジェクタ装置１は、前記投射光学系１５０から前記スクリーン２００上に２点鎖線で示す画像（光）を投射するもので、スクリーン２００の背面側から画像を投射することで、大画面の画像を表示させる画像表示装置として用いられている。
また、本実施形態のリアプロジェクタ装置１は、投射光学系１５０がスクリーン２００に対して下方から直接光を投射するようにして筐体１０内に設けられている。よって、前記筐体１０の奥行き（厚み）を抑えることで、リアプロジェクタ装置１の小型化、薄型化を図っている。
【００１４】
図２は、前記リアプロジェクタ装置１の投射光学系１５０の構成を示す概略図である。なお、図２中においては、簡略化のためリアプロジェクタ装置１を構成する筐体１０の図示を省略するものとする。
投射光学系１５０は、前述したように光源と、該光源からの光を変調する光変調素子と、この光変調素子により変調された光を投射する投射レンズとから構成されるものである。また、本実施形態の投射光学系１５０においては、前記光変調素子として液晶ライトバルブ１００Ｒ、１００Ｇ、１００Ｂを採用している。
【００１５】
図２に示すように、投射光学系１５０は、ハロゲンランプ等の白色の光源からなるランプユニット１０２が設けられている。このランプユニット（光源）１０２から出射された光は、内部に配置された３枚のミラー１０６および２枚のダイクロイックミラー１０８によってＲＧＢの３原色に分離されて、各原色に対応する液晶ライトバルブ１００Ｒ（赤色）、１００Ｇ（緑色）および１００Ｂ（青色）にそれぞれ導かれるようになっている。ここで、液晶ライトバルブ１００Ｒ、１００Ｇおよび１００Ｂは、画像信号処理回路（図示省略）から供給されるＲ、Ｇ、Ｂの原色信号でそれぞれ駆動されるものである。
また、Ｂ（青）色の光は他のＲ（赤）色やＧ（緑）色と比較すると、光路が長いので、その損失を防ぐために、入射レンズ１２２、リレーレンズ１２３および出射レンズ１２４からなるリレーレンズ系１２１を介して導かれるようになっている。
【００１６】
液晶ライトバルブ１００Ｒ、１００Ｇ、１００Ｂによってそれぞれ変調された光は、ダイクロイックプリズム１１２に３方向（液晶ライトバルブ１００Ｒ、１００Ｇ、１００Ｂ）から入射するようになっている。前記ダイクロイックプリズム１１２は、Ｒ色およびＢ色の光は９０度に屈折する一方、Ｇ色の光は直進するようになっている。従って、前記各液晶ライトバルブ１００Ｒ、１００Ｇ、１００Ｂの後述する各光出射部からの光を合成するようになっている。そして、合成された各光出射部の光を投射レンズ１１４を介して、スクリーン２００上に投射するようになっている。
なお、液晶ライトバルブ１００Ｒ、１００Ｇおよび１００Ｂには、ダイクロイックミラー１０８によって、Ｒ、Ｇ、Ｂの各原色に対応する光が入射するので、カラーフィルタを設ける必要はない。
【００１７】
次に、液晶ライトバルブ１００（１００Ｒ，１００Ｇ，１００Ｂ）について説明する。なお、本実施形態では、前述したようにＲ，Ｇ，Ｂ各色に対応した３種類の液晶ライトバルブを用いているが、これらの構造は同じものとし、以下の説明では液晶ライトバルブ１００として説明する。
図３は、液晶ライトバルブ１００の平面図である。図３に示すように、本実施形態の液晶ライトバルブ１００は、図３中破線で示される光出射部６０の直上を覆うようにして、多数のマイクロレンズ５００が設けられている。なお、本実施形態における光出射部６０とは、前述したランプユニット１０２を３原色に分離した各色の光を、各色（Ｒ，Ｇ，Ｂ）に対応した液晶ライトバルブ１００によって変調した後、光を出射する側の領域である。
【００１８】
図４は、前記液晶ライトバルブ１００の側断面を模式的に示した図である。
図４に示すように、液晶ライトバルブ１００は、ＴＦＴアクティブマトリクス駆動方式の液晶装置であって、対向基板２５０とアクティブマトリクス基板２６０とが対向配置されて構成されたものである。対向基板２５０の光出射側で、前記光出射部６０の直上となる位置に、前記マイクロレンズ５００が複数形成配置されている。
【００１９】
本実施形態の液晶ライトバルブ１００の光出射部６０上に形成されるマイクロレンズ５００としては、例えば透明の樹脂等を用いることができる。このマイクロレンズ５００を形成する方法としては、例えば液滴吐出法（インクジェット法）、フォトリソグラフィ法、又はエッチング等が挙げられる。よって、このマイクロレンズ５００は、前記液晶ライトバルブ１００の各光出射部６０上に設けることで、後述するように、各光出射部６０から出射する光の焦点距離を調節可能となっている。
【００２０】
前記対向基板２５０はガラス等の透明基板から形成されていて、この対向基板２５０の表面上には、印刷法、蒸着法、スパッタリング法などを用いてブラックマトリクス、金属膜などからなる遮光膜２３が所定のパターンで形成されている。この遮光膜２３は、前述した光出射部６０を光が通過することによる液晶ライトバルブ１００のコントラスト比の低下を抑制するためのものである。
【００２１】
そして、前記遮光層２３上には、透明な電極２１が全面ベタ状に形成されている。このようにして、液晶層を挟持するための対向基板２５０が構成されている。
この対向基板２５０を用いて液晶ライトバルブ１００を構成するには、前記対向基板２５０の表面に配向膜（図示せず）を塗布し、配向膜をラビング処理する。そして、図３に示すように、対向基板２５０と対向配置するＴＦＴ（薄膜トランジスタ）３０や画素電極９ａを備えるアクティブマトリクス基板２６０とを対向配置してシール材５２で貼り合わせるとともに、その間に液晶５０を注入することで前記液晶ライトバルブ１００を構成している。
【００２２】
前記シール材５２は、アクティブマトリクス基板２６０と、対向基板２５０とを貼り合わせてパネルとするための紫外線硬化樹脂や熱硬化樹脂等からなり、アクティブマトリクス基板２６０上に塗布された後、アクティブマトリクス基板２６０と対向基板２５０とを重ねた状態で、紫外線照射や加熱等により硬化させたものである。液晶ライトバルブ１００を投射型表示装置用のように小型で、拡大表示を行うものに用いれば、シール材５２中には、両基板内の距離（基板間ギャップ）を所定値とするためのグラスファイバ或いはガラスビーズ等のギャップ材（スペーサ）を配合することが好ましい。
【００２３】
図５は、前記液晶ライトバルブ１００の各光出射部６０とスクリーン２００上の各画素部２１０との対応関係を模式的に示し、前記液晶ライトバルブ１００をアクティブマトリクス基板２６０側から見た状態を示す図である。なお、図５中においては、説明を簡略化するために、画素部２１０と光出射部６０とを４行４列（合計１６個づつ）設けられた場合について図示しているが、実際には、何千、何万個といった前記画素部２１０、及び光出射部６０とが設けられているものとする。
また、図５中では、マイクロレンズ５００、及び投射レンズ１１４の図示も省略している。なお、前記画素部２１０とは、前記液晶ライトバルブ１００の光出射部６０から光がスクリーン２００上に投射された際に画素となる領域であって、スクリーン２００上における見掛け上の画素を表すものである。
【００２４】
ここで、液晶ライトバルブ１００には、複数の光出射部６０が形成されていて、前記光出射部６０における配列を、図５中両矢印ＡＢで示す方向を行方向とし、図５中両矢印ＣＤで示す方向を列方向とする。また、スクリーン２００上の画素部２１０の配列は、前記光出射部６０と同様に、両矢印ＡＢ方向を行方向、両矢印ＣＤ方向を列方向とする。
【００２５】
このとき、各液晶ライトバルブ１００Ｒ，１００Ｇ，１００Ｂにおける対応する（行と列番号が一致する）位置の光出射部６０からの光は、ダイクロイックプリズム１１２（図２参照）に３方向から入射しＲＧＢ各色を合成した後、スクリーン２００上に対応する画素部２１０を構成するようになっている。なお、各液晶ライトバルブ１００Ｒ，１００Ｇ，１００Ｂとスクリーン２００との間には、同様の対応関係が成り立つこととなる。
【００２６】
図５に示すように、前記液晶ライトバルブ１００の各光出射部６０から出射された光は、前記ダイクロイックプリズム１１２（図２参照）によってＲＧＢ各色を合成した後、図示しない投射レンズ（図２参照）により拡大投射し、スクリーン２００上の対応する位置に画素部２１０を構成するようになる。
具体的には、図５に示すように、液晶ライトバルブ１００Ｒの１行目、１列目における光出射部６０ａから出射された光は、スクリーン２００上の１行目、１列目における画素部２１０ａに投射されるものとする。
【００２７】
次に、前記光出射部６０の大きさについて従来の光出射部の形状と本実施形態における形状とを比較しつつ説明する。
図６（ａ），（ｂ）は、液晶ライトバルブ１００の光出射部６０からの光が、スクリーン２００上の対応する画素部２１０となる際を模式的に示した図である。なお、図６（ａ），（ｂ）においては、説明を簡略化するために、光源を点光源として図示している。また、両矢印ＡＢ，Ａ´Ｂ´は、図５における配列の行方向に対応するものである。
【００２８】
図６（ａ）は、従来のリアプロジェクタ装置１´における液晶ライトバルブ１００´とスクリーン２００´との関係を示す図である。また、図６（ｂ）は、本実施形態のリアプロジェクタ装置１における液晶ライトバルブ１００とスクリーン２００との関係を示す図である。また、図６（ａ），（ｂ）では、図５と同様に、説明を簡略化するために、画素部２１０と光出射部６０とを４行４列（合計１６個づつ）設けられた場合について図示しているが、実際には、何千、何万個といった光出射部６０、及び対応する画素部２１０が設けられている。
【００２９】
従来の液晶ライトバルブ１００´は、図６（ａ）に示すように、各光出射部６０´が全て同じ大きさ（面積）に形成されていた。このとき、リアプロジェクタ装置１´は、光源からの光を液晶ライトバルブ１００´を介して、スクリーン１００´の下方から投射している。よって、スクリーン２００´の上側（図中矢印Ａ´側）の画素部２１０´は、下側（図中Ｂ´側）の画素部２１０´に比べ、光源となるランプユニット１０２´から離れているため、光路長が長くなっている。すなわち、スクリーン２００上の上側に対応する光出射部６０´の光は、スクリーン２００の下側に比べスクリーン２００までの光路長が長く、図６（ａ）に示すように、スクリーン２００の上側（矢印Ａ´側）の画素部２１０´は、スクリーン２００´の上方向（矢印Ａ´側）に伸びて拡がってしまう。したがって、スクリーン２００上には、各光出射部６０´の位置によって、スクリーン２００´上の画素部２１０´の大きさにバラツキが生じ、スクリーン上の画像にボケが生じてしまっていた。
【００３０】
そこで、本実施形態の液晶ライトバルブ１００は、図６（ｂ）に示すように、各光出射部６０は、対応する各画素部２１０がそれぞれほぼ同じとなる大きさに形成されている。また、記各光出射部６０と対応する画素部２１０とは、大きさが相似形状の関係となっている。
具体的には、スクリーン２００の上側（図中矢印Ａ側）に形成される画素部２１０までの光出射部６０からの光路（光路長）は長いため、画素部２１０の上側（矢印Ａ方向）への拡がりを考慮して、対応する光出射部６０の大きさを両矢印ＡＢ方向の高さを小さくしている。また、スクリーン２００の下側（図中矢印Ｂ側）に形成される画素部２１０までの光出射部６０からの光路（光路長）は短いため、画素部２１０の拡がりが少ないことを考慮し、対応する光出射部６０の大きさを大きくしている。
よって、各光出射部６０に対応するスクリーン２００上の各画素部２１０までの光路長が異なっていても、対応する各画素部２１０がそれぞれほぼ同じ大きさとなる。
すなわち、各光出射部６０からの光はスクリーン２００上で、ほぼ同じ大きさの画素部２１０となる。ここで、全ての画素部２１０をほぼ同じ大きさにすることで、各画素部２１０から構成されるスクリーン２００上の画像にひずみが生じることを防止できる。
なお、本実施形態では、画素部２１０の縦方向（両矢印ＡＢ方向）の拡がりのみを考慮しているが、画素部２１０が横方向（両矢印ＡＢに直交する方向）への拡がりを考慮して各光出射部６０の大きさを設定するようにしてもよい。
【００３１】
次に、前記光出射部６０に形成されたマイクロレンズ５００（図３参照）について説明する。
本実施形態のリアプロジェクタ装置１は、前述したように前記液晶ライトバルブ１００の各光出射部６０からの光（画像）をスクリーン２００に対して下方から投射するようになっている（図６（ｂ）参照）。また、図６（ｂ）に示したように、光出射部６０から画素部２１０までの光路長は、前述したようにスクリーン２００の下側（図６（ｂ）中Ｂ方向）の画素部２１０は短く、スクリーン２００の上側（図６（ｂ）中Ａ方向）の画素部２１０は長くなっている。このように、各光出射部６０からスクリーン２００上の対応する各画素部２１０までの光路長が異なっていると、各画素部２１０間の、焦点距離のバラツキから画素部２１０にボケが生じて、スクリーン上の画像に多少のひずみが生じてしまう。
【００３２】
ところで、前記投射光学系１５０から画素部２１０までの光路においては、各液晶ライトバルブ１００から光を出射した後、合成された光を投射レンズ１１４によってスクリーン２００上に拡大表示するようになっている。なお、前記投射レンズ１１４は、液晶ライトバルブ１００の光出射部６０を、スクリーン２００上に拡大するためのもので、前記光出射部６０から投射された光の光路長に影響を与えることがないものとしている。
【００３３】
本実施形態の液晶ライトバルブ１００の各光出射部６０上には、マイクロレンズ５００が設けられている（図３，図４参照）。このマイクロレンズ５００は、各光出射部６０からそれぞれ出射される光の焦点距離を、対応する各画素部２１０までの光路長にほぼ一致させるようになっている。よって、前記光出射部６０毎に、前述したようにフォトリソグラフィ法やエッチングを用いてマイクロレンズを設けることで、スクリーン上の画素部２１０毎の焦点距離を容易に調節できる。なお、前記マイクロレンズ５００は、例えばレンズの曲率半径を調節することで、容易に焦点距離を変更できる。
【００３４】
具体的には、前述したように、スクリーン２００の上側（図６（ｂ）中Ａ方向）の画素部２１０は、前記光出射部６０からの光路長が長くなるため、この画素部２１０に対応する光出射部６０に設けるマイクロレンズ５００の焦点距離を長くしている。また、スクリーン２００の下側（図６（ｂ）中Ｂ方向）の画素部２１０は、前記のスクリーン２００上側の画素部２１０よりも光路長が短くなるため、この画素部２１０に対応する光出射部６０に設けるマイクロレンズ５００の焦点距離を短くしている。
本実施形態では、前記マイクロレンズ５００を各光出射部６０に設けることで、各光出射部６０からの光が、対応する画素部２１０上で焦点を結ぶようにしている。
すなわち、各光出射部６０からの光が、対応するすべての画素部２１０上で焦点を結ぶことで、スクリーン２００上のすべての画素部２１０には焦点距離（ピント）の合った像を投射できる。したがって、スクリーン２００上の各画素部２１０から構成される画像は、全ての画素部２１０での焦点距離（ピント）があっているので、スクリーン２００上に投影される画像をより鮮明にできる。
【００３５】
次に、本実施形態のリアプロジェクタ装置１を用いてスクリーン２００上に画像を投射する際について説明する。
前記リアプロジェクタ装置１は、光源として用いるランプユニット１０２からの光を、ダイクロイックミラー１０８によってＲＧＢの３原色に分離し、各液晶ライトバルブ１００Ｒ、１００Ｇ、１００Ｂによってそれぞれ変調する。
このとき、本実施形態の液晶ライトバルブ１００Ｒ、１００Ｇ、１００Ｂの光出射部６０には、前記マイクロレンズ５００が設けられている。すなわち、リアプロジェクタ装置１のように構造上、スクリーン２００の下方から画像を投射することで、各光出射部６０からスクリーン２００上の対応する各画素部２１０までの光路長が異なっていても、各画素部２１０の大きさをほぼ同じ大きさにするように各光出射部６０の大きさを形成することで、スクリーン２００上の各画素部２１０の大きさがほぼ均一になる。
【００３６】
そして、前記各液晶ライトバルブ１００Ｒ、１００Ｇ、１００Ｂによって変調された光は、ダイクロイックプリズム１１２に３方向（液晶ライトバルブ１００Ｒ、１００Ｇ、１００Ｂ）から入射する。
ダイクロイックプリズム１１２において、Ｒ色およびＢ色の光は９０度に屈折する一方、Ｇ色の光は直進する。従って、各光出射部６０の色が合成されて、投射レンズ１１４を介して、対応するスクリーン２００上の画素部２１０に光が投射される。
ここで、各光出射部６０にマイクロレンズ５００を備えたことで、すべての画素部２１０の焦点距離（ピント）が合った像をスクリーン２００上に投射できる。よって、スクリーン２００上の画像は、焦点距離（ピント）の合った画素部２１０のみから構成されるので、より鮮明なものとなる。よって、よりひずみの無い鮮明な画像をスクリーン２００上に投射できる。
また、リアプロジェクタ装置１は、従来のように鏡等の光学系を用いることなく、前記光出射部６０毎にマイクロレンズ５００を備えることでスクリーン２００上の画像のひずみを防止しているので、リアプロジェクタ装置１の装置構成を簡略化できる。
【００３７】
本発明のプロジェクタとしては、本実施形態で説明したような、スクリーンの背面側から画像を投射することで、大画面の画像を表示させるリアプロジェクタ装置１に対し、特に有効に用いることができる。その理由としては、リアプロジェクタ装置１は構造上スクリーン２００に対して下方、及び上方（本実施形態では、下方）から画像を投射するため、従来のように鏡等の光学系を用いないと、スクリーン２００上の画像にひずみが生じてしまう。そこで、前述したように本実施形態のリアプロジェクタ装置１では、前記各画素部２１０における焦点距離を各光路長に合わせることで、前記の光学系を用いることなくスクリーン２００上の画像のひずみを防止できる。
よって、前記筐体１０内に前記の光学系を設けるスペースが不要となり、筐体１０の厚みを薄くでき、結果としてリアプロジェクタ装置１の小型化、薄型化を図ることができる。
【００３８】
また、本発明のプロジェクタによれば、各光出射部６０に対応するスクリーン２００上の各画素部２１０までの光路長が異なっていても、対応する各画素部２１０がそれぞれほぼ同じとなる。
すなわち、各光出射部６０からの光はスクリーン２００上で、ほぼ同じ大きさの画素部２１０となる。ここで、全ての画素部２１０をほぼ同じ大きさにすることで、各画素部２１０から構成されるスクリーン２００上の画像のひずみを防止できる。
また、従来のように鏡等の光学系を用いることなく、前記光出射部６０の大きさを調節することでスクリーン２００上の画像のひずみを防止しているので、プロジェクタの装置構成を簡略化することができる。
【００３９】
なお、本発明はリアプロジェクタ以外にスクリーンとライトバルブの位置関係が固定されたフロントタイプのプロジェクタにも有効である。
【００４０】
なお、前記実施形態では、３板式プロジェクタに本発明を適用したが、単板式プロジェクタに本発明を適用することも可能である。なお、各色同時表示方式の単板式プロジェクタでは白色光源およびカラーフィルタを備え、時間順次表示方式の単板式プロジェクタでは各色光源および光変調手段が時間順次に駆動されるが、いずれに対しても本発明を適用することが可能である。また、本実施形態では、光出射部６０にマイクロレンズ５００を設けた場合について説明したが、前記マイクロレンズ５００を設けなくてもよい。
本発明は、前述した内容に限定されることなく適宜変更が可能である。
【図面の簡単な説明】
【００４１】
【図１】（ａ）はリアプロジェクタ装置、（ｂ）は（ａ）における側断面である。
【図２】リアプロジェクタ装置の投射光学系の構成を示す概略図である。
【図３】液晶ライトバルブの平面図である。
【図４】図３におけるＡ−Ａ線矢視による前記液晶ライトバルブの側断面である。
【図５】光出射部と画素部との対応関係を説明する図である。
【図６】（ａ）は従来例の光出射部、（ｂ）は本実施形態の光出射部である。
【符号の説明】
【００４２】
１…リアプロジェクタ装置（プロジェクタ）、１０…筐体、６０…光出射部、１００…液晶ライトバルブ（光変調素子）、１０２…ランプユニット（光源）、１１４…投射レンズ、２００…スクリーン、２１０…画素部
【図１】
2006220822.tif 000003
【図２】
2006220822.tif 000004
【図３】
2006220822.tif 000005
【図４】
2006220822.tif 000006
【図５】
2006220822.tif 000007
【図６】
2006220822.tif 000008